(57)【特許請求の範囲】
【請求項１】
蛍形状本体部と、この蛍形状本体部に着脱自在に取り付けられる電源部と、前記蛍形状本体部の下面に前記電源部を取り付けるための筒状コネクター部とを有し、かつ、前記蛍形状本体部内に、ＬＥＤ発光制御回路が組み込まれた小形制御基板と、この小形制御基板の前記ＬＥＤ発光制御回路に接続されたＬＥＤと、このＬＥＤからの光が透過するカラーフィルターとを設けると共に、前記筒状コネクター部に、前記ＬＥＤ発光制御回路と前記電源部内に設けた釦電池とを電気的に接続するための一対の本体側接触子を設け、しかも、前記ＬＥＤからの光を、前記カラーフィルター及び前記蛍形状本体部の後部に設けた透明カバーブロックを透過させて前記蛍形状本体部外に照射するようにした電子蛍発光装置において、
前記ＬＥＤを、ＩｎＧａＮ系の高輝度白色発光ダイオードとし、かつ、前記カラーフィルターを、複数枚の色の異なる透過性のシート状フィルターを重ね合わせて外観の色が黄緑系となるように形成することで５３０〜５７０ｎｍの波長の光を透過させる構成としたことを特徴とする電子蛍発光装置。
【請求項２】
前記カラーフィルターは、複数枚の色の異なるシート状フィルターを重ね合わせてその重ね合わせたシート状フィルターを、光の乱反射を促進させる手段となる両面接着テープで接着固定することにより形成し、しかも、前記透明カバーブロックに、光の乱反射を促進させる手段となる凹凸を施したことを特徴とする請求項１記載の電子蛍発光装置。
【請求項３】
前記電源部を、前記筒状コネクター部に対して着脱可能な電池収納体と、この電池収納体内に設けた充電式の釦電池と、前記電池収納体の上面に設けた突状径小部に埋設され、かつ、前記一対の本体側接触子が嵌合接触する一対の電源側接触子とから少なくとも構成すると共に、前記筒状コネクター部から前記電池収納体を外した後、その電池収納体の前記一対の電源側接触子を別途用意した充電器の充電端子に連結することで、前記電池収納体内に設けた釦電池の充電を可能にしたことを特徴とする請求項１若しくは２記載の電子蛍発光装置。
【請求項４】
前記蛍形状本体部の下面に設けた前記筒状コネクター部の周囲を囲む脚部ブロックを、前記蛍形状本体部に設け、この脚部ブロックの最下端が、前記筒状コネクター部に取り付けた電池収納体の下面よりも上方に位置するように、この脚部ブロックの長さを設定すると共に、前記脚部ブロックを、前記蛍形状本体部の下面に設けられた取り付け突部に嵌合するところの嵌合開口を有する取り付け平坦部と、この取り付け平坦部に一体形成した複数本の前脚、中脚及び後脚とからなることを特徴とする請求項１、２若しくは３記載の電子蛍発光装置。
【請求項５】
前記ＬＥＤ発光制御回路には、ＰＷＭ制御が可能なマイクロコンピュータ及び前記電源部から給電された電圧を昇圧するＰＷＭ昇圧回路を包含させることを特徴とする請求項１、２、３若しくは４記載の電子蛍発光装置。
【請求項６】
前記蛍形状本体を、頭部及び前記筒状コネクター部の外郭を一体形成してなる本体中央ブロックと、前記頭部の根本部分に嵌合される胸部ブロックと、前記本体中央ブロックの前記頭部から離れた位置に取り付けられて透明部を構成するところの透明カバーブロックと、前記本体中央ブロックの下面に取り付けられる脚部ブロックと、前記本体中央ブロックの頭部に取り付けられる触角部ブロックとから少なくとも構成すると共に、前記本体中央ブロックを左右二分割構造としたことを特徴とする請求項１、２、３、４若しくは５記載の電子蛍発光装置。
【発明の詳細な説明】
【技術分野】
【０００１】  本発明は、自然の蛍に似せた発光が行われる電子蛍発光装置に関し、特に、発光置物としても使用可能であって、かつ、蛍形状本体部と電源部とを一体化した単品形態の電子蛍発光装置に関するものである。
【背景技術】
【０００２】  従来の電子蛍発光装置としては、草木の葉に似せた外観形状の大きな葉形電源部と蛍に似せた外観形状の蛍発光本体部とからなり、葉形電源部の上面に設けたソケットに蛍発光本体部の下面に設けたプラグを接続することで、葉形電源部内に設けた太陽電池及び蓄電器によって蛍発光本体部に設けた発光ダイオード（以下、ＬＥＤと称する。）を点滅するようにした構成のものが知られていた（例えば、特許文献１参照）。【０００３】  さらに、上記従来例の電子蛍発光装置では、葉形電源部にクリップなどの取付け部材を一体的に設けて、その取付け部材により、葉形電源部を草木等に取り付けるという構成にしてある。また、後述する特許文献１（実用新案登録第３００７７８０号公報）に示す電子蛍発光装置では、蛍発光本体部の尾部に露出する状態で緑ＬＥＤを設けて、その緑ＬＥＤを点滅させるようにしている。
【先行技術文献】
【特許文献】
【０００４】
【特許文献１】実用新案登録第３００７７８０号公報
【発明の概要】
【発明が解決しようとする課題】
【０００５】  しかしながら、上記実用新案登録第３００７７８０号公報に示す電子蛍発光装置では、葉形電源部に、太陽電池、パターンフイルム、板状の透明カバー、蓄電池及び発振回路等のＬＥＤを発光させるための回路並びにクリップなどの取付け部材を設ける必要がある。そのために、葉形電源部は、蛍発光本体部に比べて非常に大きな面積及び体積を必要とするものになってしまうという問題点があった。【０００６】  さらに、上記実用新案登録第３００７７８０号公報に示す電子蛍発光装置では、取付け部材によって草木等に取り付けられた葉形電源部の上面に蛍発光本体部を装着するか、あるいは取付け部材によって草木等に取り付けられた葉形電源部と蛍発光本体部をコードによって接続するかが必要であるため、蛍発光本体部の設置場所及び設置方法が限定されてしまうという問題点があった。特に、電子蛍発光装置を置物として使用する場合には、大きな形状の葉形電源部と蛍発光本体部を一緒に置く必要があるため、見栄えがよくないという問題点があった。また、蛍発光本体部の尾部に露出させた緑ＬＥＤからの直接の光では、人を和ます穏やかな明るさを得ることができないと共に、緑ＬＥＤを蛍発光本体部の尾部から露出させた場合には、緑ＬＥＤ自体及び緑ＬＥＤの取付け構造につき、防水対策を考慮した構成にする必要があるという問題点があった。【０００７】  本発明の目的は、上記の問題点にかんがみ、形状本体部と電源部とを一体化した単品形態であっても、小形化を図ることを可能にし、設置場所及び設置方法の自由度を増大させることにより、多様な用途に展開させることができ、しかも、自然の蛍が発する光の色に近似した発光色を作りだすことのできる電子蛍発光装置を提供することにある。
【課題を解決するための手段】
【０００８】  上記目的を達成するために、本発明は、蛍形状本体部と、この蛍形状本体部に着脱自在に取り付けられる電源部と、前記蛍形状本体部の下面に前記電源部を取り付けるための筒状コネクター部とを有し、かつ、前記蛍形状本体部内に、ＬＥＤ発光制御回路が組み込まれた小形制御基板と、この小形制御基板の前記ＬＥＤ発光制御回路に接続されたＬＥＤと、このＬＥＤからの光が透過するカラーフィルターとを設けると共に、前記筒状コネクター部に、前記ＬＥＤ発光制御回路と前記電源部内に設けた釦電池とを電気的に接続するための一対の本体側接触子を設け、しかも、前記ＬＥＤからの光を、前記カラーフィルター及び前記蛍形状本体部の後部に設けた透明カバーブロックを透過させて前記蛍形状本体部外に照射するようにした電子蛍発光装置において、前記ＬＥＤを、ＩｎＧａＮ系の高輝度白色発光ダイオードとし、かつ、前記カラーフィルターを、複数枚の色の異なる透過性のシート状フィルターを重ね合わせて外観の色が黄緑系となるように形成することで５３０〜５７０ｎｍの波長の光を透過させる構成としたことを特徴としている。【０００９】  さらに、本発明の特徴は、前記カラーフィルターは、複数枚の色の異なるシート状フィルターを重ね合わせてその重ね合わせたシート状フィルターを、光の乱反射を促進させる手段となる両面接着テープで接着固定することにより形成し、しかも、前記透明カバーブロックに、光の乱反射を促進させる手段となる凹凸を施したことにある。【００１０】  さらに、本発明の特徴は、前記電源部を、前記筒状コネクター部に対して着脱可能な電池収納体と、この電池収納体内に設けた充電式の釦電池と、前記電池収納体の上面に設けた突状径小部に埋設され、かつ、前記一対の本体側接触子が嵌合接触する一対の電源側接触子とから少なくとも構成すると共に、前記筒状コネクター部から前記電池収納体を外した後、その電池収納体の前記一対の電源側接触子を別途用意した充電器の充電端子に連結することで、前記電池収納体内に設けた釦電池の充電を可能にしたことにある。【００１１】  さらに、本発明の特徴は、前記蛍形状本体部の下面に設けた前記筒状コネクター部の周囲を囲む脚部ブロックを、前記蛍形状本体部に設け、この脚部ブロックの最下端が、前記筒状コネクター部に取り付けた電池収納体の下面よりも上方に位置するように、この脚部ブロックの長さを設定すると共に、前記脚部ブロックを、前記蛍形状本体部の下面に設けられた取り付け突部に嵌合するところの嵌合開口を有する取り付け平坦部と、この取り付け平坦部に一体形成した複数本の前脚、中脚及び後脚とから構成したことにある。【００１２】  さらに、本発明の特徴は、前記ＬＥＤ発光制御回路には、ＰＷＭ制御が可能なマイクロコンピュータ及び前記電源部から給電された電圧を昇圧するＰＷＭ昇圧回路を包含させるようにしたことにある。【００１３】  さらに、本発明の特徴は、前記蛍形状本体を、頭部及び前記筒状コネクター部の外郭を一体形成してなる本体中央ブロックと、前記頭部の根本部分に嵌合される胸部ブロックと、前記本体中央ブロックの前記頭部から離れた位置に取り付けられて透明部を構成するところの透明カバーブロックと、前記本体中央ブロックの下面に取り付けられる脚部ブロックと、前記本体中央ブロックの頭部に取り付けられる触角部ブロックとから少なくとも構成すると共に、前記本体中央ブロックを左右二分割構造としたことにある。
【発明の効果】
【００１４】  請求項１の発明によれば、蛍形状本体部と電源部と一体化した単品形態であっても小形であって、かつ、電源コードを不要とした電子蛍発光装置の出現を可能にし、設置場所及び設置方法の自由度を増大させることができて多様な用途に展開させることができると共に、ＬＥＤからの光を、カラーフィルター及び透明カバーブロックを透過させることで、自然の蛍の発光色に近似した光を、蛍形状本体部の後部から容易に発光させることを可能にする電子蛍発光装置を提供できた。【００１５】  請求項２の発明によれば、複数枚の色の異なるシート状フィルターを重ね合わせて光の乱反射を促進させる手段となる両面接着テープで接着固定することにより形成したカラーフィルター及び光の乱反射を促進させる手段となる凹凸を施した透明カバーブロックを設けて、このカラーフィルター及び透明カバーブロックを透過したＬＥＤからの光を、前記蛍形状本体部の後部から外に照射するようにしたので、自然の蛍の発光色により近似させた穏やかな光を、蛍形状本体部の後部から発光させることのできる電子蛍発光装置を提供できた。【００１６】  請求項３の発明によれば、蛍形状本体部から電源部を構成する電池収納体を取り外すことで、その電池収納体に収納された釦電池の充電を簡単に行うことができると共に、その充電によって釦電池を再利用できるので、電源部を構成する電池収納体を廃棄したりあるいは電子蛍発光装置全体を廃棄したりすることを阻止することができ、電子蛍発光装置の継続使用が可能になるので、環境に優しい電子蛍発光装置を提供できた。【００１７】  請求項４の発明によれば、脚部ブロックの最下端が、前記筒状コネクター部に取り付けた電池収納体の下面よりも上方に位置するように、該脚部ブロックの長さを設定するようにしたので、電池収納体が、電子蛍発光装置を所定の揚所に設置する際の設置台としての役目を果たすことができると共に、その所定の場所の表面（上面）から脚部ブロックを離した（浮いた）状態で電子蛍発光装置を設置することができるので、脚部ブロックが折れるのを軽減させることができる電子蛍発光装置を提供できた。【００１８】  請求項５の発明によれば、電源部から給電された電圧を昇圧するＰＷＭ昇圧回路及びＰＷＭ制御が可能なマイクロコンピュータを、ＬＥＤ発光制御回路に設けることによって、釦電池の供給電圧が低くても、ＬＥＤを点灯させるに必要な電圧を得ることができるので、より小形の釦電池の使用が可能になるため、前記電源部の電池収納体の小形化が可能になり、蛍形状本体部と電源部とからなる電子蛍発光装置全体の小形化を図ることができる共に、ＰＷＭ制御が可能なマイクロコンピュータによって、ＬＥＤ発光パターンを、自然の蛍の発光パターンに近づけることができて、人に安らぎと安心を与える電子蛍発光装置を提供できた。【００１９】  請求項６の発明によれば、本体中央ブロックと胸部ブロックと透明カバーブロックと脚部ブロックと触角部ブロックとを組み立てることで、蛍形状本体を自然の蛍に外観形態が近似した電子蛍発光装置を簡単に完成させることができると共に、本体中央ブロックを左右二分割構造とすることで、その本体中央ブロック内に、ＬＥＤ及びＬＥＤ発光制御回路が組み込まれた小形制御基板とカラーフィルターとを、簡単に組み込むことができ、しかも、本体中央ブロックを左右二分割構造とすることで、蛍形状本体の上面（背中）に縦長の一本の筋が形成されて自然の蛍のはねに近い形態が得られる電子蛍発光装置を提供できた。
【図面の簡単な説明】
【００２０】
【図１】本発明の一実施形態を示す電子蛍発光装置の内部構造を説明するために要部を断面してなる内部構造説明図である。
【図２】本発明の一実施形態を示す電子蛍発光装置の正面図である。
【図３】本発明の一実施形態を示す電子蛍発光装置の上面図である。
【図４】本発明の一実施形態を示す電子蛍発光装置の下面図である。
【図５】本発明の一実施形態を示す電子蛍発光装置の左側面図である。
【図６】本発明の一実施形態を示す電子蛍発光装置の右側面図である。
【図７】本発明の一実施形態を示す電子蛍発光装置の蛍形状本体部を構成するところの左本体ケースに係り、（Ａ）は上面図、（Ｂ）は正面図、（Ｃ）は背面図、（Ｄ）は下面図である。
【図８】本発明の一実施形態を示す電子蛍発光装置の蛍形状本体部を構成するところの右本体ケースに係り、（Ａ）は上面図、（Ｂ）は背面図、（Ｃ）は正面図、（Ｄ）は下面図である。
【図９】本発明の一実施形態を示す電子蛍発光装置の蛍形状本体部を構成するところの胸部ブロックに係り、（Ａ）は正面図、（Ｂ）は上面図、（Ｃ）は下面図、（Ｄ）は背面図、（Ｅ）は右側面図である。
【図１０】本発明の一実施形態を示す電子蛍発光装置の蛍形状本体部を構成するところの透明カバーブロックに係り、（Ａ）は左側面図、（Ｂ）は図１０（Ａ）のＸ１−Ｘ１断面図、（Ｃ）は右側面図である。
【図１１】本発明の一実施形態を示す電子蛍発光装置の蛍形状本体部に設けられるカラーフィルターの平面図である。
【図１２】本発明の一実施形態を示す電子蛍発光装置の蛍形状本体部を構成するところの脚部ブロックに係り、（Ａ）は上面図、（Ｂ）は図１２（Ａ）のＸ２−Ｘ２拡大断面図である。
【図１３】本発明の一実施形態を示す電子蛍発光装置の蛍形状本体部を構成するところの触角部ブロックに係り、（Ａ）は上面図、（Ｂ）は側面図である。
【図１４】本発明の一実施形態を示す電子蛍発光装置の電源部を構成するところの電池収納体の筒状上ケースに係り、（Ａ）は上面図、（Ｂ）は図１４（Ａ）のＸ３−Ｘ３断面図、（Ｃ）は下面図である。
【図１５】本発明の一実施形態を示す電子蛍発光装置の電源部を構成するところの電池収納体の筒状下ケースに係り、（Ａ）は上面図、（Ｂ）は図１５（Ａ）のＸ４−Ｘ４断面図である。
【図１６】本発明の一実施形態を示す電子蛍発光装置の蛍形状本体部を構成する左本体ケース及び右本体ケースの合わせ状態を説明するための要部拡大断面図である。
【図１７】本発明の一実施形態を示す電子蛍発光装置の蛍形状本体部に設けられる端子フレーム及び本体側接触子に係り、（Ａ）は上面図、（Ｂ）は図１５（Ａ）のＸ５−Ｘ５断面図である。
【図１８】本発明の一実施形態を示す電子蛍発光装置の蛍形状本体部の下面図である。
【図１９】本発明の一実施形態を示す電子蛍発光装置の蛍形状本体部と電源部が一体になっている状態の全体拡大斜視図である。
【図２０】本発明の一実施形態を示す電子蛍発光装置の蛍形状本体部と電源部が分離した状態の全体拡大斜視図である。
【図２１】本発明の一実施形態を示す電子蛍発光装置の電気回路図である。
【図２２】本発明の一実施形態による電子蛍発光装置によって得られたＬＥＤに流れる電流の変化パターンを示す図である。
【発明を実施するための形態】
【００２１】  以下、本発明に係る電子蛍発光装置の一実施形態を示すところの図１〜図２２に基づいて、説明する。
【００２２】  図１〜図６に示す一実施形態の電子蛍発光装置１は、蛍形状本体部２と、この蛍形状本体部２に着脱自在に取り付けられる電源部３とを有し、蛍形状本体部２の下面（腹部）２Ａに電源部３を取り付けるための筒状コネクター部４が設けられている。蛍形状本体部２内の空洞Ｋには、後述する発光手段１０が設けられている。この発光手段１０により発せられた光は、蛍形状本体部２の下面２Ａの後部２Ｂに形成された透明部２Ｃのみから蛍形状本体部２外に照射されるようにしてある。
【００２３】  蛍形状本体部２は、自然の蛍の複眼部分に該当する頭部５Ａ及び筒状コネクター部４の外郭を一体形成してなる本体中央ブロック５と、この本体中央ブロック５の前端と頭部５Ａとの間に取り付けられて自然の蛍の前胸部部分に該当する胸部ブロック６と、自然の蛍の腹部後端にある発光器に該当する位置に取り付けられて透明部２Ｃを構成するところの透明カバーブロック７と、自然の蛍の腹部に該当する本体中央ブロック５の下面に取り付けられる脚部ブロック８と、本体中央ブロック５の頭部５Ａに取り付けられて自然の蛍の触角に該当する触角部ブロック９とから少なくともから構成されている（図１〜図４を参照）。脚部ブロック８は、本実施例では、自然の蛍の前脚２本、中脚２本及び後脚２本に該当する合計６本から構成されている（図３、図４及び図１８を参照）。
【００２４】  頭部５Ａ及び筒状コネクター部４が一体形成される本体中央ブロック５、胸部ブロック６、透明カバーブロック７、脚部ブロック８並びに触角部ブロック９は、紫外線に強くて溶着し易く、しかも、リサイクルし易くて軽量化を図り得るところの樹脂により、型成形で作られるようにしてある。本体中央ブロック５、脚部ブロック８及び触角部ブロック９の外観色は、黒色系としてある。胸部ブロック６の外観色は、橙色系としてある。本体中央ブロック５、胸部ブロック６、透明カバーブロック７、脚部ブロック８及び触角部ブロック９は、超音波溶着により、一体化されるようにしてある。透明カバーブロック７は、無色の透明の樹脂により、図１０の（Ａ）、（Ｂ）、（Ｃ）に示すように、電子蛍発光装置１の後方から見ると半球状部７Ｂと、左本体ケース状ブロック５Ｂと右本体ケース状ブロック５Ｃを合わせることで形成されるところの開口５Ｄに透明カバーブロック７を圧入嵌合する開口端縁部７Ｃと、本体中央ブロック５の後部突出壁部５Ｇの下面に当接する平坦当接面部７Ｄとを有する形状として、型成形で作られる。
【００２５】  蛍形状本体部２の本体中央ブロック５は、左右対称に形成された左本体ケース状ブロック５Ｂ及び右本体ケース状ブロック５Ｃからなる左右二分割構造としてある。左本体ケース状ブロック５Ｂ及び右本体ケース状ブロック５Ｃには、それぞれ、頭部５Ａの半分部分及び筒状コネクター部４の半分部分が一体形成されている（図７及び図８参照）。左本体ケース状ブロック５Ｂと右本体ケース状ブロック５Ｃを合わせることで、頭部５Ａと筒状コネクター部４が形成されるようにしてある（図５及び図６参照）。本体中央ブロック５の後部に形成され、かつ、透明カバーブロック７を取り付けるための開口５Ｄは、左本体ケース状ブロック５Ｂと右本体ケース状ブロック５Ｃを合わせることで形成される。
【００２６】  左本体ケース状ブロック５Ｂと右本体ケース状ブロック５Ｃを合わせることで、その左本体ケース状ブロック５Ｂと右本体ケース状ブロック５Ｃとの間には、蛍形状本体部２の本体中央ブロック５内の空洞Ｋが形成されるようにしてある（図１を参照）。左本体ケース状ブロック５Ｂと右本体ケース状ブロック５Ｃの合わせ目は、図１６に示す点線丸印Ｐで示すように、インロー構造とすることで、接着し易く、水密性を保持し易いようにしてある。左本体ケース状ブロック５Ｂと右本体ケース状ブロック５Ｃの合わせ目には、その両者の位置決めを行う位置決め小突起とその位置決め小突起が嵌合する小穴が設けられている。左本体ケース状ブロック５Ｂと右本体ケース状ブロック５Ｃを合わせて超音波溶着させた場合には、発光手段１０により発生した光が、開口５Ｄ以外の部分から光が漏れないようにしてある。胸部ブロック６は、図９（Ａ）、（Ｂ）、（Ｃ）、（Ｄ）、（Ｅ）に示す形状をしており、嵌合凹６Ａを、左本体ケース状ブロック５Ｂ及び右本体ケース状ブロック５Ｃの三角形状部５Ｆの下方から嵌め込むことで、左本体ケース状ブロック５Ｂ及び右本体ケース状ブロック５Ｃの頭部５Ａに隣接した位置に、弾着されるようにしてある。
【００２７】  自然の蛍の上羽部分に該当する蛍形状本体部２の上面２Ｄの中央には、左本体ケース状ブロック５Ｂと右本体ケース状ブロック５Ｃを合わせて超音波溶着することで、蛍形状本体部２の長手方向に向かって延びる縦長の一本の筋５Ｅが形成されるようにしてある。これにより、蛍形状本体部２の上面２Ｄには、自然の蛍の上羽のごとく左右に分かれている形態が形成される（図３参照）。触角部ブロック９は、図１３の（Ａ）、（Ｂ）に示すように、二又部９Ａと根元部９Ｂとからなる形状をしており、この根元部９Ｂが左本体ケース状ブロック５Ｂ及び右本体ケース状ブロック５Ｃの頭部５Ａ間に挟持された状態で、取り付けられる。
【００２８】  脚部ブロック８は、図１２の（Ａ）、（Ｂ）に示すように、２本の前脚８Ａ、２本の中脚８Ｂ及び２本の後脚８Ｃからなり、蛍形状本体部２の下面２Ａに設けられた方形状の取り付け突部２Ｅに嵌合するところの嵌合開口８Ｄを有する取り付け平坦部８Ｅに、２本の前脚８Ａ、２本の中脚８Ｂ及び２本の後脚８Ｃが一体形成された構成としてある。前脚８Ａ、中脚８Ｂ及び後脚８Ｃのそれぞれの下端には、Ｌ状折り曲げ部８Ｆが形成されている（図５及び図６参照）。
【００２９】  発光手段１０は、図１に示すように、一個のＬＥＤ１１と、後述するＬＥＤ発光制御回路１２が組み込まれた一枚の小形制御基板１３とから少なくとも構成されている。ＬＥＤ１１は、発光輝度を約１０００ｍｃｄとしたＩｎＧａＮ系の高輝度白色発光ダイオードからなり、小形制御基板１３に取り付けられて、ＬＥＤ発光制御回路１２に電気的に接続されている。ＬＥＤ１１の発光制御方式は、昇圧ＰＷＭ方式とすることで、ＬＥＤ１１の発光電流を最大１．５ｍＡに、発光輝度を約７０ｍｃｄに、連続発光時間を約１０時間に、それぞれ、設定することを可能にした。蛍形状本体部２内の小形制御基板１３と蛍形状本体部２の透明部２Ｃとの間には、カラーフィルター１４が設けられて、このカラーフィルター１４を透過したＬＥＤ１１からの光のみが透明部２Ｃに該当する透明カバーブロック７から蛍形状本体部２外に照射されるようにしてある。また、小形制御基板１３の後部下面に設けられたＬＥＤ１１は、サイドタイプのものが用いられ、そのＬＥＤ１１からの光がカラーフィルター１４に向かって水平に照射されるように配設されている。
【００３０】  小形制御基板１３は、横約７ｍｍ×縦約１７ｍｍ×厚さ約１ｍｍの大きさで、本体中央ブロック５の左本体ケース状ブロック５Ｂと右本体ケース状ブロック５Ｃの間に保持される。カラーフィルター１４は、図１１に示すような外観形状をしており、厚さ約０．４ｍｍとしてある。カラーフィルター１４は、複数枚の色の異なる透過性であって樹脂製のシート状フィルターを重ね合わせることにより、外観の色（見た目の色）が黄緑系となるものが用いられていると共に、その重ね合わせたシート状フィルター間を、光の乱反射を促進させる手段となる両面接着テープで接着固定することで、形成されるようにしてある。また、カラーフィルター１４は、自然の蛍の光の色相分布が、５３０ｎｍ〜５７０ｎｍの主波長帯に分布しているので、この５３０ｎｍ〜５７０ｎｍの波長を透過させることを可能にするように、複数枚の色の異なるシート状フィルターを選択して重ね合わせるようにしてある。図１０に示す透明カバーブロック７の内曲面７Ａには、光の乱反射を促進させる手段として、凹凸を形成するようにしている。その結果、蛍形状本体部２の後部２Ｂからは、ＬＥＤ１１の発せられる光の輝度が大きくても、その光をカラーフィルター１４及び透明カバーブロック７の内曲面７Ａで乱反射しながら透過することになるので、自然の蛍が発する光の色に近似した発光色及び明るさとなって、自然の蛍の発光色に近似した穏やかな光が発光するようになる。
【００３１】  小形制御基板１３のＬＥＤ発光制御回路１２には、図１に示すように、リード線により機械的及び電気的に接続された棒状金属製の一対の本体側接触子１５、１５Ａが設けられている。一対の本体側接触子１５、１５Ａは、本体中央ブロック５の筒状コネクター部４内に臨むように、厚さ約１ｍｍの絶縁板からなる端子フレーム１６によって本体中央ブロック５の筒状コネクター部４内の上部に取り付けられる。一対の本体側接触子１５、１５Ａは、図１７の（Ａ）、（Ｂ）に示すように、端子フレーム１６に取付けられている。
【００３２】  電源部３は、図１に示すように、筒状上ケース（電池ボックス）１７Ａ及び筒状下ケース（電池蓋）１７Ｂからなる電池収納体１７と、この電池収納体１７内に設けた充電式の釦電池１８と、電池収納体１７の筒状上ケース１７Ａの上面１７Ａ−１に設けた突状径小筒部１７Ａ−２に埋設され、かつ、一対の本体側接触子１５、１５Ａが嵌合接触する筒状金属製の一対の電源側接触子１９、１９Ａと、電池収納体１７内の上壁部に設けられて釦電池１８のプラス端子に接触させたプラス側接触板（プラス側電極板）２０と、電池収納体１７内の下壁部に設けられて釦電池１８のマイナス端子に接触させたマイナス側接触板（マイナス側電極板）２１とから少なくとも構成される。一対の電源側接触子１９、１９Ａの、いずれか一方の接触子にプラス側接触板２０を接続し、かつ、残りの他方の接触子にマイナス側接触板２１にリード線を用いて接触させることにより、釦電池１８の電圧を一対の電源側接触子１９、１９Ａから取り出せるようにしてある。釦電池１８は、小形の二酸化マンガンリチューム蓄電池であって、電圧３Ｖ、最大負荷電流５ｍＡ、容量１５ｍＡＨｒの仕様のものが用いられる。釦電池１８の大きさは、直径約１２ｍｍ×厚さ約２ｍｍとしてある。筒状上ケース１７Ａは、樹脂製であって、図１４の（Ａ）、（Ｂ）、（Ｃ）に示す形状をしている。筒状下ケース１７Ｂは、樹脂製であって、図１５の（Ａ）、（Ｂ）に示す形状をしている。電池収納体１７は、筒状上ケース１７Ａの内周壁１７Ａ−４に、筒状下ケース１７Ｂの外周壁１７Ｂ−２を圧入嵌合させることで、形成される。筒状上ケース１７Ａの内周壁１７Ａ−４と筒状下ケース１７Ｂの外周壁１７Ｂ−２との間には、筒状上ケース１７Ａと筒状下ケース１７Ｂとの嵌合位置決めを行うための凹み溝とその凹み溝に嵌る凸状突起が設けられている。
【００３３】  筒状上ケース１７Ａと筒状下ケース１７Ｂの２分割構成からなる電池収納体１７は、紫外線に強くて溶着し易く、しかも、リサイクルし易くて軽量化を図り得るところの樹脂により型成形で作られるようにしてある。電池収納体１７の大きさは、全体高さが約１０ｍｍで、かつ、直径が約１６ｍｍとなるようにしてある。筒状上ケース１７Ａと筒状下ケース１７Ｂを組み立てた状態での、筒状下ケース１７Ｂの下面から筒状上ケース１７Ａの上面１７Ａ−１の高さ（厚さ）は、約６ｍｍとなるようにしてある。筒状上ケース１７Ａの上面１７Ａ−１に設けた突状径小筒部１７Ａ−２部分の高さは、約４ｍｍとしてある。筒状上ケース１７Ａ及び筒状下ケース１７Ｂの外観色は、本体中央ブロック５及び脚部ブロック８と同一の黒色系としてある。
【００３４】  本体中央ブロック５の筒状コネクター部４内に、電源部３の電池収納体１７の突状径小筒部１７Ａ−２を嵌め込むと、筒状コネクター部４内の一対の本体側接触子１５、１５Ａと電池収納体１７内の一対の電源側接触子１９、１９Ａとが接触することにより、釦電池１８の電圧が小形制御基板１３のＬＥＤ発光制御回路１２に印加されてそのＬＥＤ発光制御回路１２の働きによりＬＥＤ１１が発光して、その発光が蛍形状本体部２の下面２Ａの透明部２Ｃのみから蛍形状本体部２外に照射（放射）されるようにしてある（図１参照）。
【００３５】  本体中央ブロック５の筒状コネクター部４から電源部３の電池収納体１７の突状径小筒部１７Ａ−２を抜き取ることで、蛍形状本体部２と電源部３とを分離した後、電池収納体１７の一対の電源側接触子１９、１９Ａを、別途設けた充電器（図示せず）の端子に差し込むことにより、電池収納体１７内の釦電池１８の充電が可能となるようにしてある。また、本体中央ブロック５の筒状コネクター部４には、蛍形状本体部２と電源部３とを分離した後、商用電源等の他の電源を使用したい場合に、その他の電源に接続したプラグ付き電源コード（図示せず）を着脱可能に連結することができるようにしてある。別途設けた釦電池１８の充電器を、その充電器の電源に接続されたプラグ付き電源コード（図示せず）を本体中央ブロック５の筒状コネクター部４に接続するようにすることにより、その消耗した釦電池１８の充電作業中であっても、蛍形状本体部２の透明部２Ｃを発光させることができ、電子蛍発光装置１の使い勝手を向上させることができる。
【００３６】  図１及び図１９に示すように、本体中央ブロック５の筒状コネクター部４内に、電源部３の電池収納体１７の突状径小筒部１７Ａ−２を嵌め込んだ状態では、本体中央ブロック５を把持して蛍形状本体部２を持ち上げても、電源部３の電池収納体１７と蛍形状本体部２の本体中央ブロック５が分離することがないように、筒状コネクター部４内に電池収納体１７の突状径小筒部１７Ａ−２に圧入嵌合されている。
【００３７】  脚部ブロック８は、その脚部ブロック８の取り付け平坦部８Ｅの嵌合開口８Ｄを、蛍形状本体部２の下面２Ａに設けた取り付け突部２Ｅに取り付けることで、その脚部ブロック８の前脚８Ａ、中脚８Ｂ及び後脚８Ｃが蛍形状本体部２の下面２Ａに設けた筒状コネクター部４の左右を囲む状態（形態）となる（図３、図４及び図１８参照）。この状態において、脚部ブロック８の最下端、すなわち、前脚８Ａ、中脚８Ｂ及び後脚８Ｃの各Ｌ状折り曲げ部８Ｆの下面が、筒状コネクター部２に取り付けた電池収納体１４の下面よりも上方に位置するように、脚部ブロック８の長さ、すなわち、脚部ブロック８の前脚８Ａ、中脚８Ｂ及び後脚８Ｃの長さが設定されている（図２、図５及び図６参照）。
【００３８】  蛍形状本体部２の筒状コネクター部２に電池収納体１７を取り付けた状態では、電池収納体１７によって、蛍形状本体部２を載置台等に、水平な状態で安定して置くことができるように、電池収納体１７の筒状下ケース１７Ｂの下面（底面）１７Ｂ−１を平坦面としてある。また、図２０に示すように、蛍形状本体部２の筒状コネクター部４から電池収納体１７を取り外した状態では、載置台等に、蛍形状本体部２を水平な状態で安定して置くことができるように、脚部ブロック８の前脚８Ａ、中脚８Ｂ及び後脚８Ｃの長さ及び形状が設定されている。
【００３９】  本体中央ブロック５の筒状コネクター部４の内壁には、図７の（Ｂ）、（Ｄ）及び図８の（Ｂ）、（Ｄ）に示すように、嵌合規制平坦部４Ａが設けられている（図１参照）。電源部３の電池収納体１７の突状径小筒部１７Ａ−２の外周壁には、図１４の（Ａ）に示すように、嵌合規制平坦部１７Ａ−３が設けられている（図１参照）。本体中央ブロック５側の嵌合規制平坦部４Ａに、電源部３側の嵌合規制平坦部１７Ａ−３を合わせて（一致させて）、本体中央ブロック５の筒状コネクター部４内に電池収納体１７の突状径小筒部１７Ａ−２を挿入（嵌合）させないと、その筒状コネクター部４に突状径小筒部１７Ａ−２を挿入（嵌合）することができないようにしてある。このことにより、本体中央ブロック５の筒状コネクター部４に電池収納体１７の突状径小筒部１７Ａ−２を挿入（嵌合）させた場合、常に、筒状コネクター部４内の一対の本体側接触子１５、１５Ａと電池収納体１７内の一対の電源側接触子１９、１９Ａを、同一の接触子同志で接触させることができ、釦電池１８のプラス端子側及びマイナス端子側と、小形制御基板１３のＬＥＤ発光制御回路１２のプラス端子側及びマイナス端子側とが、誤って逆に接続させてしまうことがない。
【００４０】  蛍形状本体部２と電源部３と一体化した単品形態の電子蛍発光装置１の大きさは、高さ寸法約２０ｍｍ以内×長さ寸法（触角部含む）約４０ｍｍ以内×幅寸法（脚部含む）２０ｍｍ以内としてある。蛍形状本体部２の大きさは、横幅寸法約８ｍｍ×高さ寸法（触角部含む）約１５ｍｍ×長さ寸法（触角部含む）約４０ｍｍとしてある。その結果、電子蛍発光装置１を上から見ると、蛍形状本体部２横幅方向の側面と脚部ブロック８との間に、電源部３の電池収納体１７の外周円部が位置しており、その外周円部を囲むように脚部ブロック８の前脚８Ａ、中脚８Ｂ及び後脚８Ｃが位置しているため、自然の蛍が電池収納体１７に止まっているようなイメージが演出されている。そのイメージは、筒状コネクター部４、電池収納体１７及び脚部ブロック８が、同一の黒色系であることによって、より強調されている。
【００４１】  蛍形状本体部２内に組み込まれた小形制御基板１０には、図２１に示すところのＬＥＤ発光制御回路１２を構成するマイクロコンピュータ（ＭＣ）２２と、バイパスコンデンサ（Ｃ１）２３と、リアクタ（Ｌ１）２４と、ダイオード（Ｄ１）２５と、平滑コンデンサ（Ｃ２）２６と、スィッチングトランジスタ（Ｑ１）２７と、抵抗２８（Ｒ１）とが少なくとも、組み込まれている。
【００４２】  リアクタ（Ｌ１）２４とダイオード（Ｄ１）２５と平滑コンデンサ（Ｃ２）２６とスィッチングトランジスタ（Ｑ１）２７は、図２１に示すように、マイクロコンピュータ（ＭＣ）２２から出力されるパルス幅変調信号（以下、ＰＷＭ信号と称す）により動作するＰＷＭ昇圧回路を構成する。ＰＷＭ昇圧回路によって、ＰＷＭ信号のパルス幅が大きくなるとＰＷＭ昇圧回路の出力、すなわち、平滑コンデンサ（Ｃ２）２６が大きくなり、かつ、ＰＷＭ信号のパルス幅が小さくなるとＰＷＭ昇圧回路の出力、すなわち、平滑コンデンサ（Ｃ２）２６が小さくなるようにしてある。抵抗２８（Ｒ１）は、一個のＬＥＤ（発光ダイオード）１１の電流検知を行う機能を有し、その抵抗２８（Ｒ１）によって検出された電圧は、マイクロコンピュータ（ＭＣ）２２のＡ／Ｄ変換入力端子（ＡＮ１）２９に入力されるようにしてある。マイクロコンピュータ（ＭＣ）２２の出力端子３０（ＰＷＭ）は、スィッチングトランジスタ（Ｑ１）２７に接続されている。なお、図２１において、符号ＡＧは、アースを表している。
【００４３】  マイクロコンピュータ（ＭＣ）２２には、約１，０００個の発光電流指令値が内蔵されている。自然の蛍の発光パターンのデータを採取して、その発光データを、約１，０００個の発光電流指令値として、マイクロコンピュータ（ＭＣ）２２に内蔵させるようにしている。マイクロコンピュータ（ＭＣ）２２は、約１，０００個の発光電流指令値を約３０ｍＳ毎に順次取り出して、その取り出した発光電流指令値と抵抗２８（Ｒ１）によって得られたＬＥＤ電流値が等しくなるように、マイクロコンピュータ（ＭＣ）２２から出力されるＰＷＭ信号のパルス幅を制御するようにしてある。マイクロコンピュータ（ＭＣ）２２は、約１，０００個の発光電流指令値が取り出されると、元に戻り繰り返し約１，０００個の発光電流指令値を取り出すようにしてある。本実施形態では、マイクロコンピュータ（ＭＣ）２２によるＰＷＭ制御によってＬＥＤ１１に流れる電流を、図２２の発光パターンのように変化させて、ＬＥＤ１１の明るさを、徐々に暗くしたり及び徐々に明るくしたりすることと、カラーフィルター１４及び透明カバーブロック７を透過させることで、自然の蛍の発光色に近似した発光色（色彩・色相）が得られることとが、相俟って、蛍形状本体部２の後部２Ｂの透明部２Ｃから蛍形状本体部２の外に照射される光を、１／ｆゆらぎの特長を増大させたものとすることができる。
【００４４】  上記一実施形態例の電子蛍発光装置１の蛍形状本体部２側の組み立て手順の一例を説明する。
【００４５】（１）まず、小形制御基板１３に、マイクロコンピュータ２２、バイパスコンデンサ２３、リアクタ２４、ダイオード２５、平滑コンデンサ２６、スィッチングトランジスタ２７及び抵抗２８等からなるＬＥＤ発光制御回路１２並びにＬＥＤ１１を半田付け等によって取り付けると共に、その小形制御基板１３のＬＥＤ発光制御回路１２に、端子フレーム１６に設けられた一対の本体側接触子１５、１５Ａをリード線によって機械的及び電気的に接続する。
【００４６】（２）次に、前記（１）の工程で、ＬＥＤ発光制御回路１２、ＬＥＤ１１及び一対の本体側接触子１５、１５Ａが取り付けられた小形制御基板１３と、カラーフィルター１４と、触角部ブロック９とを、本体中央ブロック５の左本体ケース状ブロック５Ｂと右本体ケース状ブロック５Ｃとの間に挟持される状態にした後、左本体ケース状ブロック５Ｂと右本体ケース状ブロック５Ｃを合わせて、その合わせ部分を超音波溶着によって固定する。その場合、小形制御基板１３が本体中央ブロック５内の空洞Ｋにて小形制御基板１３が本体中央ブロック５の長手方向に対して水平に維持され、かつ、カラーフィルター１４が小形制御基板１３の後方にて本体中央ブロック５の長手方向に対して垂直に維持されると共に、一対の本体側接触子１５、１５Ａが本体中央ブロック５の筒状コネクター部４内で垂直に維持され、かつ、ＬＥＤ１１がカラーフィルター１４の近くに位置するように配設する。
【００４７】（３）次に、本体中央ブロック５の前端と頭部５Ａとの間に胸部ブロック６を圧入嵌合した後、その圧入嵌合部分を超音波溶着する。
【００４８】（４）次に、左本体ケース状ブロック５Ｂと右本体ケース状ブロック５Ｃを合わせることで形成されるところの開口５Ｄに透明カバーブロック７を圧入嵌合した後、その圧入嵌合部分を超音波溶着する。
【００４９】（５）最後に、蛍形状本体部２の下面２Ａに設けられた取り付け突部２Ｅに、脚部ブロック８の取り付け平坦部８Ｅに設けた嵌合開口８Ｄを圧入嵌合した後、その圧入嵌合部分を超音波溶着することで、蛍形状本体部２の下面２Ａに脚部ブロック８を取り付けることにより、蛍形状本体部２側の組み立て作業が終了する。
【００５０】  上記蛍形状本体部２側の組み立て手順（２）において、左本体ケース状ブロック５Ｂと右本体ケース状ブロック５Ｃを合わせて超音波溶着によって固定した際、左本体ケース状ブロック５Ｂと右本体ケース状ブロック５Ｃの合わせ目の気密性及び水密性が保持されるようにしてある。
【００５１】  次に、上記一実施形態例の電子蛍発光装置１の電源部３側の組み立て手順の一例を説明する。
【００５２】（イ）まず、電源部３の筒状上ケース１７Ａの突状径小筒部１７Ａ−２に埋設した一対の電源側接触子１９、１９Ａのうち一方の電源側接触子１９に接触し、かつ、釦電池１８のプラス端子に接触させるプラス側接触板２０を、筒状上ケース１７Ａ内の上壁部に固定する。
【００５３】（ロ）次に、釦電池１８のマイナス端子に接触させるマイナス側接触板２１に、突状径小筒部１７Ａ−２に埋設した一対の電源側接触子１９、１９Ａのうちの残りの他方の電源側接触子１９Ａに接続するためのリード線を取り付ける。
【００５４】（ハ）次に、マイナス側接触板２１に固定したリード線を、突状径小筒部１７Ａ−２に埋設した一対の電源側接触子１９、１９Ａのうちの残りの他方の電源側接触子１９Ａに接続する。
【００５５】（ニ）次に、上記（ロ）の工程で、リード線が取り付けられたマイナス側接触板２１を、電池収納体１４の筒状下ケース１７Ｂの内底壁に設置する共に、そのマイナス側接触板２１と筒状上ケース１７Ａ内の上壁部に固定されたプラス側接触板２０との間に、釦電池１８を位置させた状態で、かつ、その釦電池１８のプラス端子がプラス側接触板２０に接触することができる状態となるようにする。
【００５６】（ホ）最後に、筒状上ケース１７Ａを筒状下ケース１７Ｂに圧入嵌合することにより、電源部３側の組み立て作業を終了させることができる。
【００５７】  上記電源部３側の組み立て手順（ホ）において、筒状上ケース１７Ａを筒状下ケース１７Ｂに圧入嵌合した際、筒状上ケース１７Ａと筒状下ケース１７Ｂの合わせ目の気密性及び水密性が保持されるようにしてある。
【００５８】  以上のような構成からなる電子蛍発光装置１を使用する場合は、蛍形状本体部２の筒状コネクター部４に、電源部３の電池収納体１７の突状径小筒部１７Ａ−２を圧入することで、図１９に示すように、蛍形状本体部２の下面に電源部３を取り付ける。
【００５９】  蛍形状本体部２の下面に電源部３を取り付けると同時に、一対の本体側接触子１５、１５Ａと一対の電源側接触子１９、１９Ａが接触することで、電源部３内の釦電池１８の電圧が蛍形状本体部２内の小形制御基板１３に設けたＬＥＤ発光制御回路１２に印加されて、蛍形状本体部２内の小形制御基板１３に設けたＬＥＤ１１がＬＥＤ発光制御回路１２の動作によって、自然の蛍に近似した明滅発光が繰り返される。この自然の蛍に近似した明滅発光は、本実施形態では、約１０時間連続して行われる。ここで、明滅発光とは、徐々に明るく発光した後、急に強く明るく発光したり、及び徐々に暗く発光した後消えたりするというパターンを繰り返す発光をいう。
【００６０】  蛍形状本体部２と電源部３を一体化することで、自然の蛍に近似した明滅発光を繰り返すようにした電子蛍発光装置１は、飾り棚等に置物として置いたり、鉢植えの土の上に置いたり、事務机や勉強机や載置台等の上に置いたりすることで、癒しの和み蛍として楽しむことができる。
【００６１】  自然の蛍に近似した明滅発光を約１０時間連続して行い、電源部３内の釦電池１８が消耗してきたならば、蛍形状本体部２の筒状コネクター部４から電源部３の電池収納体１７の突状径小筒部１７Ａ−２を引き抜くことで、図２０に示すように、蛍形状本体部２と電源部３を分離する。分離した電源部３は、その電源部３の電池収納体１７に設けた一対の電源側接触子１９、１９Ａを、別途設けられた充電器の充電端子に接続させることにより、釦電池１８の充電作業を行う。また、分離した蛍形状本体部２は、脚部ブロック８の前脚８Ａ、中脚８Ｂ及び後脚８Ｃの各Ｌ状折り曲げ部８Ｆを利用して載置台等の上に、蛍形状本体部２を水平状態に置いておけばよい。
【００６２】  釦電池１８の充電作業が終了したならば、再び、蛍形状本体部２の筒状コネクター部４に、電源部３の電池収納体１７の突状径小筒部１７Ａ−２を圧入することにより、蛍形状本体部２の下面に電源部３を取り付けることで、自然の蛍に近似した明滅発光を繰り返す電子蛍発光装置１とすることができる。
【００６３】  以上のように、上記一実施形態によれば、蛍形状本体部２と電源部３と一体化した単品形態であっても小形化された電子蛍発光装置１の出現を初めて可能にし、設置場所及び設置方法の自由度を増大させることができて多様な用途に展開させることができると共に、ＬＥＤ１１からの光をカラーフィルター１４及び透明カバーブロック７を透過させることで、自然の蛍の発光色に近似した光を容易に発光させることを可能にする。
【００６４】  さらに、上記一実施形態の電子蛍発光装置１によれば、その電子蛍発光装置１の全体重量を、約４ｇと軽量化を図ることができ、かつ、蛍形状本体部２と電源部３と一体化した単品形態の電子蛍発光装置１であっても、高さ寸法約２０ｍｍ以内×長さ寸法（触角部含む）約４０ｍｍ以内×幅寸法（脚部含む）２０ｍｍ以内という小形化を図ることができる。
【００６５】  さらに、上記一実施形態の電子蛍発光装置１によれば、脚部ブロック８の最下端が筒状コネクター部４に取り付けた電池収納体１７の下面よりも上方に位置するようにしてあるので、電池収納体１７が、電子蛍発光装置１の蛍形状本体部２を所定の場所に設置する際の設置台としての役目を果たすことができると共に、その所定の場所の表面（上面）から脚部ブロック８を離した（浮いた）状態で電子蛍発光装置１を設置することができるので、脚部ブロック８が折れるのを軽減させることができる。また、電池収納体１７の筒状下ケース１７Ｂの下面を、鉢植えの土の上に置いたり、事務机や勉強机や載置台等の上に置いたりすることにより、電子蛍発光装置１の蛍形状本体部２を安定した状態で設置できる。
【００６６】  さらに、上記一実施形態の電子蛍発光装置１によれば、蛍形状本体部２と電源部３を分離して、電源部３内に設けた釦電池１８の充電作業中は、蛍形状本体部２を前脚８Ａ、中脚８Ｂ及び後脚８Ｃの各Ｌ状折り曲げ部８Ｆの下面により、水平な状態で載置台等に設置しておくことができ、便利である。
【００６７】  さらに、上記一実施形態の電子蛍発光装置１によれば、小形化を図った電源部３を蛍形状本体部２に一体化することで、蛍形状本体部２と電源部３とを電気的に接続するためのリード線を不要とし、しかも、自然の蛍に近似した明滅発光を繰り返すようにしたので、その電子蛍発光装置１を室内装飾（インテリア）の小物置物として利用することができる。
【００６８】  さらに、上記一実施形態の電子蛍発光装置１によれば、太陽電池、パターンフイルム、透明カバー、蓄電池及びクリップなどの取付け部材を設けるという複雑な構造にしていないので、電源部３の小形化及び生産性の向上を図ることができる。また、上記一実施形態の電子蛍発光装置１によれば、左本体ケース状ブロック５Ｂと右本体ケース状ブロック５Ｃとは、水密的及び気密的に固定されるので、ＬＥＤ１１や小形制御基板１３などの電気部品が収納される空洞Ｋ内に、蛍形状本体部２の上面２Ｄ等に水滴が付着しても、その水滴が空洞Ｋ内に侵入することがないため、格別な防水対策をＬＥＤ１１に施す必要がない。
【００６９】  さらに、上記一実施形態の電子蛍発光装置１によれば、蛍形状本体部２の筒状コネクター部４に、電源部３の電池収納体１７の突状径小筒部１７Ａ−２を圧入する場合は、筒状コネクター部４の嵌合規制平坦部４Ａと、電池収納体１７の突状径小筒部１７Ａ−２の嵌合規制平坦部１７Ａ−３とが一致した場合のみ、筒状コネクター部４に電池収納体１７の突状径小筒部１７Ａ−２が圧入されて、釦電池１８のプラス端子側及びマイナス端子側と発光制御回路１２のプラス端子側及びマイナス端子側が間違って逆に接続されることがない。
【００７０】  上記一実施形態の電子蛍発光装置１では、本体中央ブロック５と胸部ブロック６と透明カバーブロック７と脚部ブロック８と触角部ブロック９とを組み立てることで、蛍形状本体部２を簡単に完成させることができると共に、本体中央ブロック５を左右二分割構造とすることで、その本体中央ブロック５内に、ＬＥＤ発光制御回路１２が組み込まれた小形制御基板１３とＬＥＤ１１とカラーフィルター１４とを、簡単に組み込むことができ、しかも、本体中央ブロックを左右二分割構造とすることで、蛍形状本体２の上面（背中）に縦長の一本の筋が形成されて自然の蛍のはねに近い形態を得ることができる。
【００７１】  上記一実施形態の電子蛍発光装置１では、筒状コネクター部４から電池収納体１７を外した後、その筒状コネクター部４に別途用意したプラグ付きの電源コードを着脱可能となるようにしてあるので、釦電池１８が消耗してしまった後、充電器がないために、その消耗した釦電池１８を充電することができない場合であっても、他の電源をプラグ付きの電源コードにより筒状コネクター部４に接続することで、電子蛍発光装置１を発光させることが可能となり、便利である。
【００７２】  さらに、上記一実施形態の電子蛍発光装置１では、自然の蛍の発光パターンのデータを採取して、その発光データを、約１，０００個の発光電流指令値として、マイクロコンピュータ２２に内蔵させ、それらの発光電流指令値によりＬＥＤ１１を発光させるようにしたので、自然の蛍の発光パターンに近似した光を蛍形状本体部２の透明部２Ｃを構成する透明カバーブロック７から蛍形状本体部２外に照射させることができ、自然の蛍に似せた明滅発光が行われる電子蛍発光装置１が得られる。
【００７３】  さらに、上記一実施形態の電子蛍発光装置１では、ＬＥＤ１１を、高輝度白色発光ダイオードとすると共に、カラーフィルター１４を、複数枚の色の異なるシート状フィルターを重ね合わせてその色を黄緑系とし、その重ね合わせたシート状フィルターを、光の乱反射を促進させる手段で接着し、しかも、前記透明カバーブロックに光の乱反射を促進させる手段を施すことで、蛍形状本体部２の透明部２Ｃを構成する透明カバーブロック７から蛍形状本体部２外に照射させる光の色を自然の蛍が発光するように、より近づけることができるため、和みのある穏やかな光が得られる。
【００７４】  上記一実施形態によれば、電源部３から給電された電圧を昇圧するＰＷＭ昇圧回路を設けたＬＥＤ発光制御回路１２により、釦電池１８が低電圧のものであっても、ＬＥＤ１１を点灯させるのに必要な電圧を得ることができるので、より小形の釦電池１８の使用が可能になるため、電源部３の電池収納体１７の小形化が可能になり、蛍形状本体部２と電源部３とからなる電子蛍発光装置全体１の小形化を図ることができる共に、ＰＷＭ制御が可能なマイクロコンピュータ２２によって、ＬＥＤ発光パターンを、自然の蛍の発光パターンに近づけることができて、人に安らぎと安心を与える電子蛍発光装置１が得られる。
【００７５】  上記一実施形態では、透明カバーブロック７を無色の透明としているが、これに限定されない。カラーフィルター１４を構成するところの、複数枚の色の異なるシート状フィルターの色を調整することにより、透明カバーブロック７を有色の透明とするようにすることもできる。
【符号の説明】
【００７６】  １    電子蛍発光装置
２    蛍形状本体部
２Ａ  蛍形状本体部の下面
２Ｂ  後部
２Ｃ  透明部
２Ｅ  取り付け突部
３    電源部
４    筒状コネクター部
５    本体中央ブロック
５Ａ  頭部
５Ｂ  左本体ケース状ブロック
５Ｃ  右本体ケース状ブロック
６    胸部ブロック
７    透明カバーブロック
８    脚部ブロック
８Ａ  前脚
８Ｂ  中脚
８Ｃ  後脚
８Ｄ  嵌合開口
８Ｅ  取り付け平坦部
８Ｆ  Ｌ状折り曲げ部
９    触角部ブロック
１１  ＬＥＤ（発光ダイオード）
１２  ＬＥＤ発光制御回路
１３  小形制御基板
１４  カラーフィルター
１５、１５Ａ  一対の本体側接触子
１７  電池収納体
１７Ａ−２  突状径小筒部
１８  充電式の釦電池
１９、１９Ａ  一対の電源側接触子
２２  マイクロコンピュータ
【図１】
0005531325.tif 000002
【図２】
0005531325.tif 000003
【図３】
0005531325.tif 000004
【図４】
0005531325.tif 000005
【図５】
0005531325.tif 000006
【図６】
0005531325.tif 000007
【図７】
0005531325.tif 000008
【図８】
0005531325.tif 000009
【図９】
0005531325.tif 000010
【図１０】
0005531325.tif 000011
【図１１】
0005531325.tif 000012
【図１２】
0005531325.tif 000013
【図１３】
0005531325.tif 000014
【図１４】
0005531325.tif 000015
【図１５】
0005531325.tif 000016
【図１６】
0005531325.tif 000017
【図１７】
0005531325.tif 000018
【図１８】
0005531325.tif 000019
【図１９】
0005531325.tif 000020
【図２０】
0005531325.tif 000021
【図２１】
0005531325.tif 000022
【図２２】
0005531325.tif 000023